(57)【特許請求の範囲】
【請求項１】
横軸回りに回転自在に支持した障子と、障子と非連結で設けられ、障子の開閉操作を行う開閉アームと、開閉アームの回転軸に固定して設けた駆動アームと、縦枠に沿ってスライドする開閉プレートと、開閉プレートと連動してスライドするロック部材と、開閉プレートとロック部材をスライドさせる操作部とを備え、駆動アームは係合軸を有し、開閉プレートは係合軸が係合する係合溝を有し、係合溝は開閉アームを障子閉位置で拘束する拘束部と、開閉アームが障子開の方向に回転するのを許容する非拘束部とを有し、係合軸が拘束部をスライドする間にロック部材が障子のロック受けと係合することを特徴とする建具。
【請求項２】
横軸回りに回転自在に支持した障子と、障子と非連結で設けられ、障子の開閉操作を行う開閉アームと、開閉アームの回転軸に固定して設けた駆動アームと、縦枠に沿ってスライドする開閉プレートと、開閉プレートをスライドさせる操作部とを備え、開閉アームは回転自在であり、障子開方向に回転する方向に回転モーメントが働くようにしてあり、駆動アームは係合軸を有し、開閉プレートは係合軸が係合する係合溝を有し、係合溝は開閉アームを障子閉位置で拘束する拘束部と、開閉アームが障子開の方向に回転するのを許容する非拘束部とを有することを特徴とする建具。
【発明の詳細な説明】
【技術分野】
【０００１】
本発明は、横軸回りに回動する障子を備える建具に関する。
【背景技術】
【０００２】
従来より、横軸回りに回転自在に支持した障子が風圧によって自然に開閉する横軸回転窓が知られている（例えば、特許文献１参照）。この横軸回転窓は、窓枠取付部の室内側にロッド５２を水平に、且つモータＭにて回転し得るように支持し、該ロッド５２に、ロッド５２の回転によって障子３を強制回動するアーム５３を一体的に設けている。
すなわち従来のこの種の横軸回転窓では、アームを電動で操作しているが、手動でも操作できるものが求められた。
【先行技術文献】
【特許文献】
【０００３】
【特許文献１】特開平１０−１０２９３２号公報
【発明の概要】
【発明が解決しようとする課題】
【０００４】
本発明は以上に述べた実情に鑑み、障子を開閉するアームの操作を手動でも行える建具の提供を目的とする。
【課題を解決するための手段】
【０００５】
上記の課題を達成するために請求項１記載の発明による建具は、横軸回りに回転自在に支持した障子と、障子と非連結で設けられ、障子の開閉操作を行う開閉アームと、開閉アームの回転軸に固定して設けた駆動アームと、縦枠に沿ってスライドする開閉プレートと、開閉プレートと連動してスライドするロック部材と、開閉プレートとロック部材をスライドさせる操作部とを備え、駆動アームは係合軸を有し、開閉プレートは係合軸が係合する係合溝を有し、係合溝は開閉アームを障子閉位置で拘束する拘束部と、開閉アームが障子開の方向に回転するのを許容する非拘束部とを有し、係合軸が拘束部をスライドする間にロック部材が障子のロック受けと係合することを特徴とする。
【０００６】
請求項２記載の発明による建具は、横軸回りに回転自在に支持した障子と、障子と非連結で設けられ、障子の開閉操作を行う開閉アームと、開閉アームの回転軸に固定して設けた駆動アームと、縦枠に沿ってスライドする開閉プレートと、開閉プレートをスライドさせる操作部とを備え、開閉アームは回転自在であり、障子開方向に回転する方向に回転モーメントが働くようにしてあり、駆動アームは係合軸を有し、開閉プレートは係合軸が係合する係合溝を有し、係合溝は開閉アームを障子閉位置で拘束する拘束部と、開閉アームが障子開の方向に回転するのを許容する非拘束部とを有することを特徴とする。
【発明の効果】
【０００７】
請求項１記載の発明による建具は、開閉プレートに設けた係合溝に駆動アームの係合軸が係合しており、開閉プレートが縦枠に沿ってスライドすることで開閉アームが回動するため、開閉アームの操作が手動でも行える。しかも本建具は、開閉プレートと連動してスライドするロック部材を有し、係合溝は開閉アームを障子閉位置で拘束する拘束部と、開閉アームが障子開の方向に回転するのを許容する非拘束部とを有し、係合軸が拘束部をスライドする間にロック部材が障子のロック受けと係合するようにしたので、障子の閉鎖とロックを１アクションで行え、ロックが正確に行えると共に、障子等に無理な力が加わるのを防止できる。また、開閉アームは障子と非連結のため、操作が軽く行える。さらに、開閉プレートの係合溝に開閉アームが障子開の方向に回転するのを許容する非拘束部を有するので、操作が軽く行える。よって、電動で操作する場合も、モーターに負荷がかからない。
【０００８】
請求項２記載の発明による建具は、開閉プレートに設けた係合溝に駆動アームの係合軸が係合しており、開閉プレートが縦枠に沿ってスライドすることで開閉アームが回動するため、開閉アームの操作が手動でも行える。しかも本建具は、開閉アームは回転自在であり、障子開方向に回転する方向に回転モーメントが働くようにしてあり、係合溝は開閉アームを障子閉位置で拘束する拘束部と、開閉アームが障子開の方向に回転するのを許容する非拘束部とを有するので、係合軸が拘束部から非拘束部に移行すると、開閉アームが自身に作用する回転モーメントによって障子開方向に回転するので、開閉アームの障子開方向への操作が軽く行える。また、開閉アームは障子と非連結のため、操作が軽く行える。さらに、開閉プレートの係合溝に開閉アームが障子開の方向に回転するのを許容する非拘束部を有するので、操作が軽く行える。よって、電動で操作する場合も、モーターに負荷がかからない。
【図面の簡単な説明】
【０００９】
【図１】図５のＡ−Ａ断面図である。
【図２】図５のＢ−Ｂ断面図である。
【図３】図５のＣ−Ｃ断面図である。
【図４】図５のＤ−Ｄ断面図である。
【図５】本発明の建具の一実施形態を示す室内側正面図である。
【図６】図５のＡ−Ａ位置における縦断面図であって、開閉アームが障子開方向に回転し始めるときの状態を示す。
【図７】図５のＡ−Ａ位置における縦断面図であって、障子が風圧に応じて自然に開閉する状態（自然換気状態）を示す。
【図８】図５のＡ−Ａ位置における縦断面図であって、障子を強制的に開いた状態（排煙状態）を示す。
【図９】図５のＡ−Ａ位置における縦断面図であって、排煙状態から開閉アームを障子閉方向に回転し始めるときの状態を示す。
【図１０】図５のＤ−Ｄ位置における横断面図であって、ロックが掛かる直前の状態を示す。
【図１１】障子閉の状態から排煙状態に至るまでの開閉プレートと駆動アームの動きを示す側面図である。
【図１２】排煙状態から障子閉の状態に至るまでの開閉プレートと駆動アームの動きを示す側面図である。
【図１３】開閉アームが自身に働く回転モーメントにより障子開の方向に回転する様子を示す側面図である。
【図１４】本発明の建具の他の実施形態を示す室内側正面図である。
【発明を実施するための形態】
【００１０】
以下、本発明の実施の形態を図面に基づいて説明する。図１〜図５は、本発明に係る建具の一実施形態であって、２連窓としたものを示している。この窓は、図５に示すように、上枠１３と下枠１４と左右の縦枠１５，１５と中間縦枠５とで枠１６を構成し、左右の縦枠１５，１５と中間縦枠５との間の開口部に、それぞれ障子１，１を横軸１７で回転自在に軸支してある。図２に示すように、横軸１７は、障子１を中間高さより上部で偏心状態に軸支しており、障子１の上框の室内側には重り１８が取付けてある。中間縦枠５の障子１よりも室内側には、障子１の開閉する範囲を規制したり、障子１を強制的に閉鎖ないし開放したりするための開閉アーム２が障子１と非連結で設けてある。図５に示すように、室内側から見て右側の縦枠１５の下方位置には、障子１の開閉操作を行うためのハンドル７が設けてある。
【００１１】
中間縦枠５の内部には、図１，３に示すように、ベース１９が取付けてあり、ベース１９には水平な回転軸３がベアリング２０により回転自在に支持されており、回転軸３の左右両端部に開閉アーム２，２が固定して設けてあり、回転軸３の中間部には駆動アーム４が固定して設けてある。回転軸３は、障子１の横軸１７と同じ高さに設けてある。また、ベース１９にはレール２１が垂直方向に設けてあり、該レール２１に案内して開閉プレート６が垂直方向にスライド自在に設けてある。
【００１２】
開閉アーム２は、図１に示すように、上向きにのびる閉鎖アーム２２と、室内側の斜め下方に向けてのびる蹴り出しアーム２３とを、への字形を成すように組み合わせたものとなっている。各アーム２２，２３の先端部には、ゴムローラー２４が取付けてある。開閉アーム２は、上記のような形状・姿勢になっていることで、図１３に示すように、回転に制約を受けないとすれば図中の２点鎖線で示す状態まで回転しようとするから、開閉アーム２には閉鎖アーム２２が室内側に、蹴り出しアーム２３が室外側にそれぞれ回転する方向、すなわち障子開の方向に、回転モーメントＭが働いている。
駆動アーム４は、図１に示すように、先端部に係合軸８が設けてあり、この係合軸８が開閉プレート２の係合溝９に係合することで、開閉アーム２の回転が規制されている。駆動アーム４は、下面側に斜めに枝分かれしてのびる係止部２５を有している。
【００１３】
開閉プレート６は、図１に示すように、上部に駆動アーム４の係合軸８が係合する係合溝９を有している。係合溝９は、上部に縦枠５に沿って垂直方向にのびる一定幅の拘束部１０を有し、拘束部１０の下方には室外側に傾斜した斜辺部２６と、室外側縦辺部２７と、水平な底辺部２８と、拘束部１０の室内側辺と連続する室内側縦辺部２９とで囲まれた非拘束部１１とを有している。拘束部１０は、係合軸８の直径よりも少し広い溝幅で形成してあり、拘束部１０に係合軸８が位置する間は、駆動アーム４は室外側の斜め下向きの一定の角度に保持され、開閉アーム２は閉鎖アーム２２が障子１の竪框の横軸１７より上側を室外側に押して、障子１を閉鎖状態に保持する。非拘束部１１では、係合軸８は移動可能となり、それに伴って駆動アーム４及び開閉アーム２が回動する。さらに開閉プレート６は、係合溝９の下方に係合ピン３０を有している。
【００１４】
下枠１４の上面には、図２，４に示すように、横スライドバー３１が下枠１４の長手方向に沿ってスライド可能に設けてあり、横スライドバー３１には障子１下部に設けたロック受け３２に係合して障子１をロックするロックピン１２が設けてある。横スライドバー３１は、中間縦枠５と下枠１４とのコーナー部に設けたコーナードライブ３３により、開閉プレート６と連結してある。コーナードライブ３３は、Ｌ型に曲がった筒状のガイド部材３４と、ガイド部材３４内に挿通した摺動部材３５とを有するもので、摺動部材３５がガイド部材３４にガイドされた状態で摺動することで、押し引き力を直角に伝達できるものであり、摺動部材３５の一端部が開閉プレート６の下端部に連結され（図１参照）、摺動部材３５の他端部が連結具３６を介して横スライドバー３１に連結してある（図４参照）。そのため、開閉プレート６と横スライドバー３１とは連動してスライドする。
図５に示すように、横スライドバー３１の端部は別のコーナードライブ３７によりハンドル７と連結してあり、ハンドル７を回転操作することで横スライドバー３１がスライドするようになっている。
【００１５】
次に、本建具の動作について説明する。図１に示すように、障子１が閉鎖した状態のときには、開閉プレート６は一番下に下がった位置にあって、駆動アーム４の係合軸８は開閉プレート６の係合溝９の拘束部１０の上部に位置しており、このとき開閉アーム２は閉鎖アーム２２が障子１に当接して障子１を閉鎖状態に保持している。またこのとき、横スライドバー３１は一番右側にスライドした位置にあって、図４に示すように、ロックピン１２が障子１のロック受け３２と係合している。
ハンドル７を障子開き側に操作すると、横スライドバー３１は左側に向けてスライドし、これに連動して開閉プレート６が上にスライドする。これによりロックピン１２がロック受け３２から外れ、駆動アーム４の係合軸８は、図１１（ｂ）に示すように、開閉プレート６の拘束部１０内を下向きに移動する。その後、図１１（ｃ）と図６に示すように、係合軸８が拘束部１０から外れて非拘束部１１に移行すると、先に述べたように開閉アーム２に障子開の方向に回転モーメントＭが働いているために、回転軸３が駆動アーム４及び開閉アーム２共々、障子開の方向（図６中の時計方向）に回転する。その後、開閉プレート６が上昇するにつれて、係合軸８が非拘束部１１の斜辺部２６に係止しながら、駆動アーム４及び開閉アーム２が障子開の方向に回転する。
その後、図１１（ｄ）に示すように、係合軸９が非拘束部１１内の室外側に突き出た突部の先端部（自然換気拘束部３８）に位置すると、駆動アーム４はほぼ水平な向きとなり、このとき開閉アーム２は図７に示すように、閉鎖アーム２２が斜め上向きの状態となり、蹴り出しアーム２３はほぼ真下に向いた状態になる。このとき障子１は、閉鎖状態から閉鎖アーム２２に当接するまでの範囲で、風の力で自動的にスイングする（自然換気状態）。
この状態からさらに開閉プレート６を上にスライドすると、図１１（ｄ）〜（ｅ）に示すように、開閉プレート６の上昇に伴って係合軸８が非拘束部１１の底辺部２８に係合しながら室内側に移動し、それに伴って駆動アーム４と開閉アーム２が障子開の方向に回転し、図８に示すように、蹴り出しアーム２３が障子１の横軸１７より下側を押して障子１を開放状態に保持する（排煙状態）。
【００１６】
次に、障子１を蹴り出しアーム２３で強制的に開放した状態から障子１を閉鎖する際の動きについて説明する。障子１を蹴り出しアーム２３で強制的に開放した状態では、図１２（ａ）に示すように、開閉プレート６が一番上に上がった位置にあって、係合軸８は非拘束部１１の室内側のコーナー部に位置している。ハンドル７を障子閉じ側に操作すると、開閉プレート６は下にスライドし、図１２（ｂ）に示すように、開閉プレート６に設けた係合ピン３０が駆動アーム４の係止部２５に係止して下に押すため、駆動アーム４と開閉アーム２は障子閉じ側（図中の反時計方向）に回転し、それに伴って障子１が徐々に閉まる。仮に係合ピン３０と係止部２５が無かったとすると、開閉アーム２には障子開の方向に回転するように回転モーメントＭが働いているため、開閉プレート６が下降しても開閉アーム２が障子閉じ側に回転しないおそれがあるが、このように係合ピン３０と係止部２５を設けることで、確実に開閉アーム２を障子閉じ側に回転させられる。
その後、図１２（ｃ）〜（ｅ）に示すように、開閉プレート６が下降するにつれて、係合軸８が非拘束部１１の斜辺部２６に係止しながら駆動アーム４及び開閉アーム２が障子閉じ側に回転する。その後、図１２（ｆ）に示すように、係合軸８が拘束部１０に移行した時点で開閉アーム２が障子１を閉め切る状態となり、この時点では図１０に示すように、ロックピン１２が障子１のロック受け３２と係合していない。その後、図１２（ｇ）に示すように、係合軸８が拘束部１０内をスライドする間に、ロックピン１２が障子１のロック受け３２と係合する。
【００１７】
以上に述べたように本建具は、開閉プレート６に設けた係合溝９に駆動アーム４の係合軸８が係合しており、開閉プレート６が縦枠５に沿ってスライドすることで開閉アーム２が回動するため、開閉アーム２の操作がハンドル７を介して手動で行うことができる。しかも本建具は、開閉プレート２と連動してスライドするロックピン１２を有し、係合溝９は開閉アーム２を障子閉位置で拘束する拘束部１０と、開閉アーム２が障子開の方向に回転するのを許容する非拘束部１１とを有し、係合軸８が拘束部１０をスライドする間にロックピン１２が障子１のロック受け３２と係合してロックがかかるようにしたので、障子１の閉鎖とロックをハンドル７を操作するだけで１アクションで連続して行え、ロックが正確に行えると共に、障子１等に無理な力が加わるのを防止できる。
また本建具は、開閉アーム２は回転自在であり、障子開方向に回転する方向に回転モーメントＭが働くようにしてあり、係合溝９は開閉アーム２を障子閉位置で拘束する拘束部１０と、開閉アーム２が障子開の方向に回転するのを許容する非拘束部１１とを有するので、係合軸９が拘束部１０から非拘束部１１に移行すると、開閉アーム２が自身に作用する回転モーメントＭによって障子開方向に回転するので、開閉アーム２の障子開方向への操作が軽く行える。
また、開閉アーム２は障子１と非連結のため、操作が軽く行える。さらに、開閉プレート６の係合溝８に開閉アーム２が障子開の方向に回転するのを許容する非拘束部１１を有するので、操作が軽く行える。
さらに本建具は、開閉アーム２が障子１を強制的に開く位置にあるときに駆動アーム４と係合し、開閉アーム２を障子閉じ側に駆動可能な係合ピン３０を開閉プレート６に設けたので、障子１を強制的に開いた位置から開閉アーム２を障子閉じ側に確実に回転させられる。
さらに本建具は、開閉プレート６の係合溝９に開閉アーム２を自然換気の位置で拘束する自然換気拘束部３８（図７参照）を有するので、開閉アーム２を自然換気の角度に保持できる。
【００１８】
上述の実施形態は、開閉アーム２の操作をハンドル７により手動で操作するものであったが、開閉アーム２の操作を電動で行うこともできる。図１４は、電動の場合を示している。この場合、下枠１４に横スライドバー３１をスライド駆動する電動モーター３９を設置し、枠外に制御ユニット４０と操作スイッチ４１を設置する。操作スイッチ４１には、例えば「開」、「閉」、「排煙」の各ボタン４２ａ，４２ｂ，４２ｃを設け、各ボタン４２ａ，４２ｂ，４２ｃを押すと電動モーター３９が駆動して横スライドバー３１と開閉プレート６が所定の位置にスライドし、自然換気状態、閉鎖状態、排煙状態にすることができる。
本建具は、先に述べたように、開閉アーム２が障子１と非連結であることや、開閉プレート６の係合溝８に開閉アーム２が障子開の方向に回転するのを許容する非拘束部１１を有することにより、操作が軽く行えることから、電動で操作する場合に電動モーター３９に負荷がかからない。
【００１９】
本発明は以上に述べた実施形態に限定されない。窓枠の構成は自由であり、障子を一枚だけ備えた単窓であってもよい。開閉アームや駆動アーム、開閉プレート等の形態は、適宜変更することができる。ロック部材の形状は任意であり、ピン状のものに限らず、例えばフック状のもの等であってもよい。障子のロック機構（横スライドバー及びロックピン）は、省略することもできる。
【符号の説明】
【００２０】
１  障子
２  開閉アーム
３  回転軸
４  駆動アーム
５  中間縦枠（縦枠）
６  開閉プレート
７  ハンドル（操作部）
８  係合軸
９  係合溝
１０  拘束部
１１  非拘束部
１２  ロックピン（ロック部材）
３２  ロック受け
【図１】
0006482367.tif 000002
【図２】
0006482367.tif 000003
【図３】
0006482367.tif 000004
【図４】
0006482367.tif 000005
【図５】
0006482367.tif 000006
【図６】
0006482367.tif 000007
【図７】
0006482367.tif 000008
【図８】
0006482367.tif 000009
【図９】
0006482367.tif 000010
【図１０】
0006482367.tif 000011
【図１１】
0006482367.tif 000012
【図１２】
0006482367.tif 000013
【図１３】
0006482367.tif 000014
【図１４】
0006482367.tif 000015